(57)【特許請求の範囲】
【請求項１】
光ビームの照射によってコンテンツデータを記録可能なデータ記録領域が設けられたデータ記録層と、
前記光ビームの照射によって、視覚的に認識可能である可視情報のみが記録可能な可視情報記録領域、及び、
第１記録層情報が前記光ビームの照射によって読み出し可能に予め記録されている可視情報管理領域、
が設けられた可視情報記録層と、
が積層された光記録媒体であって、
前記可視情報記録層が前記データ記録層に対して反対の面に形成されており、
前記第１記録層情報が、当該第１記録層情報を有する層が前記可視情報記録層であることを示すことを特徴とする光記録媒体。
【請求項２】
請求項１に記載の光記録媒体において、
前記可視情報管理領域には、前記可視情報記録領域への前記可視情報の記録の有無を示す可視情報管理情報、又は、前記可視情報記録領域における前記可視情報の記録可能領域を示す領域情報の少なくともいずれか一方の情報が記録されていることを特徴とする光記録媒体。
【請求項３】
光ビームの照射によってコンテンツデータを記録可能なデータ記録領域が設けられたデータ記録層と、前記光ビームの照射によって、視覚的に認識可能である可視情報のみが記録可能な可視情報記録領域、及び第１記録層情報が前記光ビームの照射によって読み出し可能に予め記録されている可視情報管理領域、が設けられた可視情報記録装層と、が積層された光記録媒体であって、前記可視情報記録層が、前記データ記録層に対して反対の面に形成されており、更に前記第１記録層情報が、当該第１記録層情報を有する層が前記可視情報記録層であることを示す情報である光記録媒体に前記可視情報を記録するデータ記録装置であって、
記録すべき前記可視情報が入力される入力手段と、
前記入力された可視情報を記録するために用いられるピックアップと、
前記入力された可視情報に基づいて、前記ピックアップを駆動させるための可視情報用駆動信号を生成する可視情報用駆動信号生成手段と、
前記可視情報記録層の可視情報管理領域に記録された前記第１記録層情報を検出する第１検出手段と、
前記第１検出手段の検出結果に基づいて前記光ビームが照射されている前記光記録媒体の面を判断する判断手段と、
を備え、
前記判断手段により、前記光ビームが照射されているのが可視情報記録層であることを判断した際、前記ピックアップが、前記生成された可視情報用駆動信号に基づいて前記可視情報を前記可視情報記録層に記録することを特徴とするデータ記録装置。
【請求項４】
請求項３に記載のデータ記録装置において、
コンテンツデータ用駆動信号に基づいて前記コンテンツデータを前記データ記録層に記録するデータ記録用ピックアップであって、前記ピックアップとは異なるデータ記録用ピックアップと、
前記入力手段に前記コンテンツデータが入力される場合に、当該入力されたコンテンツデータに基づいて、前記データ記録用ピックアップを駆動させるための前記コンテンツデータ用駆動信号を生成するコンテンツデータ用駆動信号生成手段と、
を更に備えることを特徴とするデータ記録装置。
【請求項５】
請求項４に記載のデータ記録装置において、
前記ピックアップが、前記データ記録用ピックアップより低いＮＡ（Numerical Aperture：開口数）を有することを特徴とするデータ記録装置。
【請求項６】
請求項４に記載のデータ記録装置において、
前記ピックアップが、前記データ記録用ピックアップより波長の長い光ビームを出射することを特徴とするデータ記録装置。
【請求項７】
請求項１に記載の光記録媒体において、
前記光記録媒体における前記データ記録層の側に光ビームが照射されることによって、前記可視情報が記録されることを特徴とする光記録媒体。
【請求項８】
請求項３に記載のデータ記録装置において、
前記ピックアップは、前記光記録媒体における前記データ記録層の側に光ビームを照射することによって、前記光記録媒体上に前記可視情報を記録することを特徴とするデータ記録装置。
【発明の詳細な説明】
【技術分野】
【０００１】
本発明は、コンテンツデータを記録する記録面と異なる面に可視情報を記録する光記録媒体の技術分野に属する。
【背景技術】
【０００２】
近年、高密度の情報記録が可能なディスク状の情報記録媒体として、いわゆるＤＶＤ（Ｄｉｇｉｔａｌ  Ｖｅｒｓａｔｉｌｅ  Ｄｉｓｃ）が広く一般化しつつあり、１回だけ記録可能なＤＶＤ−Ｒ（ＤＶＤ−Ｒｅｃｏｒｄａｂｌｅ）や多数回書き換え可能なＤＶＤ−ＲＷ（ＤＶＤ−Ｒｅｒｅｃｏｒｄａｂｌｅ）などデータを書き込むことができるデータ書き込み型のＤＶＤも実用化されている。
【０００３】
従来、この書き込み型のＤＶＤなどの光ディスクでは、コンテンツデータを記録する際に、他の光ディスクと識別するため、または、記録した内容を表示するため、当該光ディスクのコンテンツデータが記録されている面（以下、データ記録面という。）と異なる面（以下、レーベル面という。）にインクジェット式プリンタまたは手書きなどによって当該記録したコンテンツデータの内容やその名称を印刷または記載することが知られている。
【０００４】
また、最近では、このような書き込み型の光ディスクにあっては、データ記録面の空き領域にレーザ光を用いてコンテンツデータの内容やその名称を可視情報として記録するものが知られている。
【０００５】
このデータ記録面にコンテンツデータの内容などを記録するＤＶＤでは、当該データ記録面に対して、レーザ光の照射部分と非照射部分とが形成されるようになっており、当該レーザ光の照射部分と非照射部分とで光学特性の変化を生じさせることにより、可視情報を記録するようになっている（例えば、特許文献１参照）。
【特許文献１】
特開２００１−２８３４７０号公報
【発明の開示】
【発明が解決しようとする課題】
【０００６】
しかしながら、従来のコンテンツデータが記録される光ディスクにあっては、インクジェットなどのレーベル面に可視情報を印刷する場合、当該光ディスクを生産する際に、予め印刷を行うことが可能なレーベル面を形成させて当該記録媒体を生産する必要がある。また、データ記録面に可視情報をレーザで記録する場合には、当該可視情報が形成される面が、データ記録面であるため、当該可視情報が見にくいだけでなく、空き領域が無い場合には、当該可視情報を十分に記録させることができないこととなる。
［０００７］
本発明は、上記の各問題点に鑑みて為されたもので、その課題の一例としては、従来の記録媒体の生産方法によって生産可能で、かつ、従来の記録媒体に記録する情報記録装置によって記録することが可能な光ディスクおよびそれにコンテンツデータを記録するデータ記録装置を提供することにある。
【課題を解決するための手段】
【０００８】
上記の課題を解決するために、請求項１に記載の発明は、光ビームの照射によってコンテンツデータを記録可能なデータ記録領域が設けられたデータ記録層と、前記光ビームの照射によって、視覚的に認識可能である可視情報のみが記録可能な可視情報記録領域、及び第１記録層情報が前記光ビームの照射によって読み出し可能に予め記録されている可視情報管理領域、が設けられた可視情報記録装層と、が積層された光記録媒体であって、前記可視情報記録層が前記データ記録層に対して反対の面に形成されており、前記第１記録層情報が、当該第１記録層情報を有する層が前記可視情報記録層であるように構成される。
【０００９】
また、請求項３に記載の発明は、光ビームの照射によってコンテンツデータを記録可能なデータ記録領域が設けられたデータ記録層と、前記光ビームの照射によって、視覚的に認識可能である可視情報のみが記録可能な可視情報記録領域、及び第１記録層情報が前記光ビームの照射によって読み出し可能に予め記録されている可視情報管理領域、が設けられた可視情報記録装層と、が積層された光記録媒体であって、前記可視情報記録層が、前記データ記録層に対して反対の面に形成されており、更に前記第１記録層情報が、当該第１記録層情報を有する層が前記可視情報記録層であることを示す情報である光記録媒体に前記可視情報を記録するデータ記録装置であって、記録すべき前記可視情報が入力される入力手段と、前記入力された可視情報を記録するために用いられるピックアップと、前記入力された可視情報に基づいて、前記ピックアップを駆動させるための可視情報用駆動信号を生成する可視情報用駆動信号生成手段と、前記可視情報記録層の可視情報管理領域に記録された前記第１記録層情報を検出する第１検出手段と、前記第１検出手段の検出結果に基づいて前記光ビームが照射されている前記光記録媒体の面を判断する判断手段と、を備え、前記判断手段により、前記光ビームが照射されているのが可視情報記録層であることを判断した際、前記ピックアップが、前記生成された可視情報用駆動信号に基づいて前記可視情報を前記可視情報記録層に記録するように構成される。
【図面の簡単な説明】
［００１０］
［図１］図１は、本願に係る第１実施形態の光ディスクの物理構造を示す図である。
［図２］図２は、本願に係る第１実施形態における光ディスクのデータ構造を示す図である。
【図３】図３は、第１実施形態において、可視情報が記録された場合の光ディスクの一例である。
【図４】図４は、本願に係る第１実施形態の光ディスクにコンテンツデータおよび可視情報を記録するデータ記録再生装置の構成を示すブロック図である。
【図５】図５は、第１実施形態の書き換え型光ディスクにおけるシステム制御部の可視情報の記録処理を示すフローチャートである。
【図６】図６は、第１実施形態の記録型光ディスクにおけるシステム制御部の可視情報の記録処理を示すフローチャートである。
【図７】図７は、本願に係る第２実施形態の光ディスクにコンテンツデータおよび可視情報を記録するデータ記録再生装置の構成を示すブロック図である。
【符号の説明】
【００１１】
１１０  …  第１基板
１１４  …  第１リードイン領域
１１５  …  データ領域
１２０  …  第２基板
１２２  …  第２リードイン領域
１２３  …  可視情報領域
２００、３００  …  データ記録再生装置
２０１  …  ピックアップ
２０４  …  データ記録用エンコーダ
２０５  …  可視情報記録用エンコーダ
２０６  …  駆動切換制御部
２１０  …  システム制御部
３０１  …  第１ピックアップ
３０２  …  第２ピックアップ
【発明を実施するための最良の形態】
【００１２】
次に、本願に好適な実施の形態について、図面に基づいて説明する。
【００１３】
なお、以下に説明する各実施形態は、ＤＶＤ−ＲやＤＶＤ−ＲＷなどのコンテンツデータを記録する光ディスクおよび当該光ディスクにコンテンツデータと可視情報とを記録するデータ記録再生装置に対して本願の光記録媒体およびそれにデータを記録するデータ記録装置を適用した場合の実施形態である。
【００１４】
〔第１実施形態〕
まず、図１〜図５を用いて光ディスクおよびデータ記録再生装置の第１実施形態について説明する。
【００１５】
始めに、図１〜図３を用いて本実施形態における光ディスクの物理構造およびデータ構造について説明する。
【００１６】
なお、図１は、本実施形態における光ディスクの物理構造を示す図であり、図２は、本実施形態における光ディスクのデータ構造を示す図である。
【００１７】
また、図３は、本実施形態において、可視情報が記録された場合の光ディスクの一例である。
【００１８】
光ディスク１００は、図１に示すように、コンテンツデータが記録される記録層（以下、データ記録層という。）が設けられた第１基板１１０と、コンテンツデータの内容または当該コンテンツデータの名称など視覚により認識することが可能な情報が可視情報として記録される記録層（以下、可視情報記録層という。）が設けられた第２基板１２０と、を張り合わせた構造を有している。
【００１９】
第１基板１１０は、レーザ光によってコンテンツデータが記録されるデータ記録層が第２基板１２０側に設けられ、当該レーザが透過可能な透明な材質によって形成される。また、この第１基板１１０は、データの記録またはデータの読み出しのためにレーザ光によって照射されるデータ記録面に形成される。
【００２０】
具体的には、第１基板１１０は、物質の結晶状態の変化を用いて反射率を変える相変化膜によって形成されるデータ記録層が設けられており、相変化膜の反射率を変えることによってコンテンツデータその他のデータを記録するようになっている。
【００２１】
第２基板１２０は、可視情報が記録される可視情報記録層が第１基板１１０側に設けられ、第１基板１１０と同様に、レーザが透過可能な透明な材質によって形成される。また、この第２基板１２０は、データ記録面とは反対側のレーベル面に形成される。
【００２２】
具体的には、第２基板１２０には、初期状態では反射光量が高いとともに、レーザ光が照射されると反射光量が低下する特性を有する膜などレーザ光の照射に基づいて反射率の異なる色素を有する可視情報記録層が設けられている。
【００２３】
このような物理構造を有するコンテンツデータを記録する光ディスク１００は、図２に示すようなデータ構造を有しており、第１基板１１０に形成されたデータ記録層には、内周側より、当該光ディスク１００を再生する再生装置の図示しないスピンドルモータの回転軸に固定するためのクランプ孔１１１と、当該固定のための第１未記録領域１１２と、コンテンツデータの書き込みを行う際にレーザ光の調整を行うための記録用情報領域１１３と、コンテンツデータの記録再生を管理するための管理情報が記録される第１リードイン領域１１４と、コンテンツデータが記録されるデータ領域１１５と、情報記録終了又は情報再生終了のための種々の情報が記録されるリードアウト領域１１６と、が形成される。
【００２４】
なお、例えば、本実施形態の第１リードイン領域１１４は、本発明のデータ管理領域を構成し、データ領域１１５は、本発明のデータ記録領域を構成する。
【００２５】
具体的には、記録用情報領域１１３には、光ディスク１００に情報を記録する際の光ビームの強度校正のための領域（ＰＣＡ：Ｐｏｗｅｒ  Ｃａｌｉｂｒａｔｉｏｎ  Ａｒｅａ）やデータ記録再生装置２００にとって必要な記録管理情報が記録される領域（ＲＭＡ：Ｒｅｃｏｒｄｉｎｇ  Ｍａｎａｇｅｍｅｎｔ  Ａｒｅａ）が設けられている。
【００２６】
また、第１リードイン領域１１４には、当該光ディスク１００の識別情報と、レーザ光によって照射される光ディスク１００面がデータ記録層であることを示す基板情報と、データ領域１１５を特定するためのアドレスに関するアドレス管理情報と、記録されたコンテンツデータの著作権保護に関する管理情報などの他情報と、が予め記録されている。
【００２７】
また、第１リードイン領域１１４、データ領域１１５およびリードアウト領域１１６には、データが記録される溝状のトラック（以下、グルーブトラックという。）と、当該グルーブトラックの間にグルーブトラックとはその高さが異なるトラック（以下、ランドトラックという。）と、が形成されているとともに、グルーブトラック及びランドトラックが相隣接しつつ、内周側から外周側に向かって螺旋状に形成されている。
【００２８】
また、これらの各領域では、ウォブルと言われる一定周期で蛇行する溝（以下、グルーブウォブルという。）によってグルーブトラックが形成されるようになっており、このグルーブウォブルによって発生する信号（以下、ウォブル信号という。）によって、コンテンツデータを再生する際のデータ再生装置における光ピックアップ２０１のトラッキング、光ディスク１００の回転制御用の信号、または、プリピット検出用ゲート信号などの当該光ディスク１００の再生制御または記録制御に用いられる情報が記録されている。
【００２９】
さらに、これらの各領域には、グルーブトラックに対して内周側から順次外周側に向けてコンテンツデータなどの各データが記録されるようになっている。
【００３０】
なお、各領域に形成されているランドトラックには、光ディスク１００における位置を示すアドレス情報を有するピット（以下、ランドプリピットという。）と、第２基板１２０に可視情報を記録する可視情報領域１２３を有している旨を示すピットと、が予め規則的に記録されている。
【００３１】
第２基板１２０に設けられた可視情報記録層には、内周側より、クランプ孔１１１と、当該固定のための第２未記録領域１２１と、可視情報を記録する際にその記録を管理する管理情報が記録される第２リードイン領域１２２と、可視情報が記録される可視情報領域１２３と、が形成される。
【００３２】
なお、例えば、本実施形態の第２リードイン領域１２２は、本発明の可視情報管理領域を構成する。
【００３３】
具体的には、第２リードイン領域１２２には、当該光ディスク１００の識別情報の他に、レーザ光によって照射される光ディスク１００の面が可視情報記録層であることを示す基板情報と、可視情報領域１２３を特定するアドレスに関するアドレス管理情報と、既に可視情報が記録されているか否かを判断するための可視情報管理情報と、が予め記録されている。また、この第２リードイン領域１２２には、可視情報が記録された後に、その可視情報の内容を示すとともに、当該可視情報が記録されているアドレスの情報を示す可視情報内容情報が記録されるようになっている。
【００３４】
可視情報領域１２３には、ユーザに視覚的に伝達する可視情報が記録され、この部分のデータをピックアップ２０１によって読み出したとしても、コンテンツデータのように意味のあるデータを構成しないデータが記録されている。
【００３５】
例えば、図３（ａ）および（ｂ）に示すように、可視情報記録層には、ドラマ名「ＡＢＣ」、放送日「２００３／８／２０」の第１２回目、または、放送日「２００３／８／２７」の第１３回目のドラマのコンテンツデータがデータ領域１１５に記録されている場合に、当該コンテンツデータの内容を示す可視情報が記録されるようになっている。
【００３６】
特に、図３（ｂ）は、ＤＶＤ−Ｒなどの記録型光ディスク１００であって、第１２回の「ＡＢＣ」ドラマのコンテンツデータに、第１３回の「ＡＢＣ」ドラマのコンテンツデータを追記した場合の可視情報を示している。
【００３７】
なお、図３（ｂ）に示すように、記録型光ディスク１００に第１３回の「ＡＢＣ」ドラマのコンテンツデータを追記した場合であって、第１２回の「ＡＢＣ」ドラマのコンテンツデータが不要な場合には、可視情報を追加して取消線を加えることができるようになっている。ただし、この場合に、データ記録層に記録された第１２回の「ＡＢＣ」ドラマのコンテンツデータは、記録型の光ディスク１００であるため、物理上削除することができないが、当該コンテンツデータは、見かけ上削除されたように、すなわち、当該コンテンツデータを読み出すことができないよう第１リードイン領域１１４に記録されたコンテンツ管理情報その他の情報により管理されるようになる。
【００３８】
また、本実施形態では、後述するように、当該可視情報内容情報がデータ記録再生装置２００に読み出されると、当該データ記録再生装置２００は、光ディスク１００に記録されている可視情報の構成を情報として取得することができるようになっている。
【００３９】
第２リードイン領域１２２、可視情報領域１２３には、第１基板１１０と同様に、データが記録される溝状のグルーブトラックと、当該グルーブトラックの間にランドトラックと、が形成されているとともに、グルーブトラック及びランドトラックが相隣接しつつ、内周側から外周側に向かって螺旋状に形成されている。
【００４０】
また、第２リードイン領域１２２には、第１基板１１０と同様に、グルーブトラックに対して内周側から順次外周側に向けてデータが記録されるようになっているが、可視情報領域１２３には、後述するように、無作為に各グルーブトラックおよびランドトラックに可視情報が記録されている。
【００４１】
次に、図４を用いて上述の光ディスクにコンテンツデータおよび可視情報を記録するデータ記録再生装置について説明する。
【００４２】
なお、図４は、本実施形態の光ディスクにコンテンツデータおよび可視情報を記録するデータ記録再生装置の構成を示すブロック図である。
【００４３】
データ記録再生装置２００には、図４に示すように、外部装置として接続されたパーソナルコンピュータ５０から出力されたコンテンツデータまたは可視情報が入力されるようになっており、このデータ記録再生装置２００は、入力されたコンテンツデータまたは可視情報を光ディスク１００に記録するようになっている。
【００４４】
本実施形態では、パーソナルコンピュータ５０上で動作するアプリケーションプログラムによって、記録すべきコンテンツデータおよび可視情報が生成されるようになっており、このデータ記録再生装置２００は、記録すべきデータとして生成されたコンテンツデータおよび可視情報を光ディスク１００に記録するようになっている。
【００４５】
具体的には、このデータ記録再生装置２００は、当該入力されたコンテンツデータまたは可視情報に基づいて半導体レーザを駆動するピックアップ２０１を有し、当該ピックアップ２０１を用いて光ディスク１００のデータ記録層または可視情報記録層に対してレーザ光を照射するようになっており、当該光ビームを光ディスク１００に照射することによって当該光ディスク１００にコンテンツデータの記録再生および可視情報の記録を行うようになっている。
【００４６】
このようなデータ記録再生装置２００は、パーソナルコンピュータ５０などの外部装置と接続され、コンテンツデータの入出力または可視情報の入力を行うためのインターフェース２０２と、コンテンツデータおよび可視情報の入出力を管理する入出力管理部２０３と、入力されたコンテンツデータを光ディスク１００に記録するための所定の形式にエンコードするデータ記録用エンコーダ２０４と、入力された可視情報を光ディスク１００に記録するために所定の形式に変換する可視情報記録用エンコーダ２０５と、ピックアップ２０１の駆動波形を切り換える駆動切換制御部２０６と、ピックアップ２０１によって読み出した信号を所定の形式に復号化するデコーダ２０７と、コンテンツデータの記録または読み出しを行う際に用いられるデータ記録用ＲＡＭ２０８と、可視情報を記録する際に用いられる可視情報記録用ＲＡＭ２０９と、バス２１１を介して必要な制御情報の授受を行いつつ上記各構成部材を統括制御するシステム制御部２１０と、から構成されるようになっており、各部はバス２１１により互いに接続されている。
【００４７】
なお、例えば、本実施形態のデータ記録用エンコーダ２０４は、本発明のコンテンツデータ用駆動信号生成手段を構成し、可視情報記録用エンコーダ２０５は、本発明の可視情報記録用駆動信号生成手段を構成する。
【００４８】
また、例えば、本実施形態の駆動切換制御部２０６は、本発明の選択手段を構成し、システム制御部２１０は、本発明の検出手段および判断手段を構成する。
【００４９】
ピックアップ２０１は、コンテンツデータおよび可視情報を光ディスク１００に記録する際に、データ記録用エンコーダ２０４および可視情報記録用エンコーダ２０５によって生成される変調信号に基づいて動作するようになっている。
【００５０】
具体的には、ピックアップ２０１は、データ記録用エンコーダ２０４および可視情報記録用エンコーダ２０５によって生成される変調信号に基づいて、当該ピックアップ２０１内に設けられた図示しない半導体レーザを駆動させるとともに、記録すべき情報に対応して強度変化する当該レーザ光を光ディスク１００に対して射出させるようになっている。
【００５１】
また、ピックアップ２０１は、再生用の一定強度のレーザ光を射出し、その反射光を図示しない受光部で受光するとともに、当該反射光の強度変化に対応して変化する検出信号を生成し、当該生成した検出信号をデコーダ２０７に出力するようになっている。
【００５２】
インターフェース２０２には、外部より所定の形式を有するコンテンツデータまたは可視情報が入力されるようになっており、このインターフェース２０２は、この入力されたコンテンツデータまたは可視情報を所定の形式に変換して入出力管理部２０３に出力するようになっている。
【００５３】
また、このインターフェース２０２には、入出力管理部２０３からピックアップ２０１によって光ディスク１００から読み出されたコンテンツデータが入力されるようになっており、このインターフェース２０２は、システム制御部２１０の指示に基づいて、入力されたコンテンツデータを、インターフェース２０２を介して外部に接続されたパーソナルコンピュータ５０に出力するようになっている。
【００５４】
入出力管理部２０３には、インターフェース２０２によって所定の形式に変換されたコンテンツデータまたは可視情報が入力されるようになっており、この入出力管理部２０３は、システム制御部２１０の指示に基づいて、データ記録用ＲＡＭ２０８を用いて、入力されたコンテンツデータをデータ記録用エンコーダ２０４に出力するとともに、入力された可視情報を可視情報記録用エンコーダ２０５に出力するようになっている。
【００５５】
また、この入出力管理部２０３は、デコーダ２０７によってデコードされた光ディスク１００から読み出されたコンテンツデータが入力されるようになっており、この入出力管理部２０３は、デコーダ２０７から出力されたコンテンツデータを、当該コンテンツデータが入力された際と同様に、データ記録用ＲＡＭ２０８を用いて、インターフェース２０２を介して外部に接続されたパーソナルコンピュータ５０に出力するようになっている。
【００５６】
具体的には、入出力管理部２０３は、入力されたコンテンツデータをデータ記録用ＲＡＭ２０８に一時的に保存しつつ、所定のタイミングで当該データ記録用ＲＡＭ２０８からコンテンツデータを読み出してデータ記録用エンコーダ２０４またはインターフェース２０２に出力するようになっている。
【００５７】
さらに、この入出力管理部２０３は、コンテンツデータと同様に、入力された可視情報を可視情報記録用ＲＡＭ２０９に一時的に保存しつつ、所定のタイミングで当該可視情報記録用ＲＡＭ２０９から可視情報を読み出して可視情報記録用エンコーダ２０５に出力するようになっている。
【００５８】
データ記録用エンコーダ２０４には、入出力管理部２０３を介して、コンテンツデータが入力されるようになっており、このデータ記録用エンコーダ２０４は、システム制御部２１０の指示に基づいて、入力されたコンテンツデータに対して所定の処理を施して光ディスク１００に書き込む際の変調信号を生成し、当該生成した変調信号を駆動切換制御部２０６に出力するようになっている。
【００５９】
具体的には、データ記録用エンコーダ２０４は、入力されたコンテンツデータを誤り訂正符号化し、ＥＣＣ（Ｅｒｒｏｒ  Ｃｈｅｃｋｉｎｇ  ａｎｄ  Ｃｏｒｒｅｃｔｉｎｇ）ブロックなどのエラーコレクション用の信号を付加する信号処理部２０４ａと、エラーコレクション用の信号が付加されたコンテンツデータを予め定められた符号化規則に基づいて８／１６（Ｅｉｇｈｔ  ｔｏ  Ｆｏｕｒｔｅｅｎ  Ｍｏｄｕｌａｔｉｏｎ）変調を行い、変調信号を生成する符号化処理部２０４ｂと、から構成される。
【００６０】
可視情報記録用エンコーダ２０５には、入出力管理部２０３から出力された可視情報が可視情報記録用ＲＡＭ２０９を介して入力されるようになっており、この可視情報記録用エンコーダ２０５は、システム制御部２１０の指示に基づいて、入力された可視情報に対して所定の処理を施して光ディスク１００に書き込む際の変調信号を生成し、当該生成した変調信号を駆動切換制御部２０６に出力するようになっている。
【００６１】
具体的には、可視情報記録用エンコーダ２０５は、可視情報が一度記録された可視情報記録用ＲＡＭ２０９から取得するとともに、取得した可視情報に基づいて、コントラストに応じたレーザ光の強度を調整するための変調信号を生成するようになっている。
【００６２】
また、この可視情報記録用エンコーダ２０５は、後述するデコーダ２０７によって取得した光ディスク１００のアドレスに基づいて、システム制御部２１０を介して生成した変調信号の記録位置、すなわち、アドレスを決定するようになっており、この決定したアドレスに基づいて生成した変調信号を出力するようになっている。
【００６３】
さらに、この可視情報記録用エンコーダ２０５は、可視情報を記録した後に、記録したエリア、すなわち、当該可視情報を記録した範囲のアドレス情報を第２リードイン領域１２２に、記録するようピックアップ２０１を制御しつつ、当該アドレス情報に対応する変調信号を生成し、駆動切換制御部２０６に出力するようになっている。
【００６４】
駆動切換制御部２０６には、データ記録用エンコーダ２０４および可視情報記録用エンコーダ２０５から出力された変調信号が入力されるようになっており、この駆動切換制御部２０６は、システム制御部２１０の指示に基づいて、入力された各変調信号の何れか一の信号を選択して光ピックアップ２０１に出力するようになっている。
【００６５】
具体的には、この駆動切換制御部２０６は、光ディスク１００にコンテンツデータを記録する際には、データ記録用エンコーダ２０４から出力された変調信号を選択し、光ディスク１００に可視情報を記録する際には、可視情報記録用エンコーダ２０５から出力された変調信号を選択するようになっており、選択した変調信号を光ピックアップ２０１に出力するようになっている。
【００６６】
デコーダ２０７には、ピックアップ２０１によって検出された検出信号が入力されるようになっており、このデコーダ２０７は、検出された検出信号に対して予め設定された増幅処理及び波形整形処理等の所定の処理を施すとともに、予め設定された復調処理を施し、光ディスク１００の識別情報、可視情報管理情報、基板情報およびアドレス管理情報などの各リードイン領域に記録されている各種の情報、コンテンツデータおよびランドプリピットによって記録されているアドレス情報を生成するようになっている。
【００６７】
また、このデコーダ２０７は、討議生成した各種の情報を入出力管理部２０３またはシステム制御部２１０に出力するようになっている。
【００６８】
システム制御部２１０は、主に、中央演算処理装置（以下、ＣＰＵという。）とメモリから構成され、外部に接続されたパーソナルコンピュータ５０の指示に基づいて、データ記録再生装置２００の全般的な機能を総括的に制御するようになっている。特に、システム制御部２１０は、コンテンツデータまたは可視情報の記録時における各部の制御、コンテンツデータの記録時、および、その再生時における各部の制御を行うようになっている。
【００６９】
本実施形態では、上述のように、パーソナルコンピュータ５０上で動作するアプリケーションプログラムによって、記録すべきコンテンツデータおよび可視情報が生成されるようになっており、システム制御部２１０は、バス２１１などを介して入力されたパーソナルコンピュータ５０の指示に基づいて各部を制御し、当該記録すべきデータとして生成されたコンテンツデータおよび可視情報を光ディスク１００に記録するようになっている。
【００７０】
また、このシステム制御部２１０は、コンテンツデータの記録時または再生時、および、可視情報の記録時に、第１リードイン領域１１４および第２リードイン領域１２２に記録されている光ディスク１００の識別情報、基板情報、アドレス管理情報、および、可視情報管理情報などの所定の情報と、ランドプリピットに記録されているアドレス情報を、ピックアップ２０１およびデコーダ２０７を介して取得するようになっている。
【００７１】
特に、このシステム制御部２１０は、後述する可視情報を記録する際の初期動作時に第１リードイン領域１１４または第２リードイン領域１２２の所定の情報を取得して、当該レーザ光を照射している基板における可視情報の記録の可否、可視情報領域１２３の記録位置を取得するとともに、当該可視情報を光ディスク１００に記録しているときに、ランドプリピットにおけるアドレス情報を取得しつつ、当該アドレス情報その他の情報に基づいて、光ディスク１００に可視情報を記録させるようになっている。
【００７２】
具体的には、ＤＶＤ−ＲＷなどの書き換え型の光ディスク１００の場合には、システム制御部２１０は、取得した光ディスク１００に記録されているアドレスに基づいて、ピックアップ２０１によって、レーザ光の強度を調整させつつ、内周側より順次外周に向けて光ディスク１００にレーザ光を照射させ、可視情報を記録させるようになっている。
【００７３】
また、このシステム制御部１００は、既に可視情報が記録されている書き換え型の光ディスク１００に対して当該可視情報を書き換える場合にも、レーザ光によって記録されている可視情報を消去しつつ、新規の可視情報を記録させるようになっている。
【００７４】
一方、ＤＶＤ−Ｒなどの記録型の光ディスク１００の場合には、システム制御部２１０は、取得した光ディスク１００に記録されているアドレスに基づいて、ピックアップ２０１から出射するレーザ光を、照射すべきアドレス部分の可視情報領域１２３のみに照射させ、可視情報を記録させるようになっている。
【００７５】
また、このシステム制御部１００は、既に可視情報が記録されている記録型の光ディスク１００に対して当該可視情報を追加する場合には、可視情報管理情報に基づいて、未だ照射されていないアドレス部分を認識し、図３（ｂ）に示すように、当該未だ照射されていないアドレス部分を照射するとともに、記録した可視情報における可視情報管理情報を既に記録された可視情報管理情報に加えて追記するようになっている。
【００７６】
また、このシステム制御部２１０は、可視情報管理情報に基づいて光ディスク１００に記録されている可視情報の構成、すなわち、記録されている可視情報の記録パターンを形成するようになっており、形成した当該可視情報の記録パターンを接続されたパーソナルコンピュータ５０等の外部装置に出力するようになっている。
【００７７】
具体的には、システム制御部２１０は、可視情報管理情報によって、可視情報が記録された際に、レーザ光が照射されたアドレスを取得するようになっており、取得したアドレスに基づいて可視情報の記録パターンを形成するようになっている。
【００７８】
なお、本実施形態のシステム制御部２１０における可視情報の記録処理の動作の詳細については後述する。
【００７９】
次に、図５および図６を用いてシステム制御部における可視情報の記録処理の動作について説明する。
【００８０】
なお、図５は、書き換え型光ディスクにおけるシステム制御部の可視情報の記録処理を示すフローチャートであり、図６は、記録型光ディスクにおけるシステム制御部の可視情報の記録処理を示すフローチャートである。
【００８１】
また、以下の記録処理の動作では、ＤＶＤ−ＲＷなどデータの上書きを行う書き換え型光ディスクと、ＤＶＤ−Ｒなどのデータの一度のみの記録またはその追記を行う記録型光ディスクの場合に分けて説明する。
【００８２】
また、本動作では、可視情報を記録することが可能であって、当該可視情報を記録する光ディスク１００が既にデータ記録再生装置２００に設定されているとともに、予め書き換え型光ディスク１００と記録型光ディスク１００の判別は第１リードイン領域１１４または第２リードイン領域１２２に記録されている各種の情報に基づいて行われているものとする。
【００８３】
（書き換え型光ディスクの場合）
まず、図５に示すように、アプリケーションプログラムの起動により、パーソナルコンピュータ５０から出力された、可視情報を書き換え型ディスクに記録する旨がシステム制御部２１０に入力されると（ステップＳ１１）、システム制御部２１０は、ピックアップ２０１を制御して光ディスク１００の第１リードイン領域１１４または第２リードイン領域１２２の一方、すなわち、ピックアップ２０１によって読み出し可能な面にあるリードイン領域から基板情報、アドレス管理情報、および、記録されている場合には可視情報管理情報など種々の情報を書き換え型光ディスク１００から読み出す（ステップＳ１２）。
【００８４】
具体的には、システム制御部２１０は、図示しないピックアップ駆動部を駆動させて、ピックアップ２０１をリードイン領域にサーチさせるとともに、図示しないスピンドルモータを制御して当該書き換え型光ディスク１００を回転させ、ピックアップ２０１にリードイン領域に記録されている各種の情報を読み出させ、読み出させた各種の情報を、デコーダ２０７を介して取得する。
【００８５】
次いで、システム制御部２１０は、取得した基板情報に基づいて当該光ディスク１００のピックアップ２０１によって記録することが可能な面が可視情報記録面であるか否かを判断する（ステップＳ１３）。
【００８６】
システム制御部２１０が、ピックアップ２０１によって記録することが可能な面がデータ記録面であると判断した場合には、当該システム制御部２１０は、その旨をパーソナルコンピュータ５０に通知し（ステップＳ１４）、本動作を終了させる。
【００８７】
このとき、パーソナルコンピュータ５０が、ピックアップ２０１によって記録することが可能な面がデータ記録面である旨を受信した場合には、当該データ記録面には可視情報を記録することができないので、パーソナルコンピュータ５０は、当該パーソナルコンピュータ５０に接続されたディスプレイおよびスピーカによってその旨をユーザに告知する。
【００８８】
一方、システム制御部２１０が、ピックアップ２０１によって記録することが可能な面が可視情報記録面であると判断した場合には、システム制御部２１０は、取得した可視情報管理情報に基づいて当該光ディスク１００が既に可視情報が記録されている光ディスク１００であるか否か判断する（ステップＳ１５）。
【００８９】
システム制御部２１０が、未だ可視情報が記録されていない光ディスク１００と判断した場合には、その旨をパーソナルコンピュータ５０に出力し、記録する可視情報の入力を待機する（ステップＳ１６）。
【００９０】
一方、システム制御部２１０が、既に可視情報が記録されている光ディスク１００と判断した場合には、その可視情報を読み出し、読み出した可視情報とともに、その旨をパーソナルコンピュータ５０に出力し、記録する可視情報の入力を待機する（ステップＳ１７）。
【００９１】
具体的には、既に可視情報が記録されている光ディスク１００と判断した場合には、システム制御部２１０は、ピックアップ２０１を制御することによって、第２リードイン領域１２２に記録されている可視情報管理情報を読み出し、当該読み出した可視情報管理情報に基づいて可視情報の記録パターンを形成させ、当該形成させた可視情報をコンピュータに出力する。
【００９２】
また、このステップＳ１６およびＳ１７において、パーソナルコンピュータ５０は、データ記録再生装置２００に設定されている光ディスク１００が未だ可視情報が記録されていない光ディスク１００である旨を受信すると、アプリケーションプログラムに従ってディスプレイに新規な光ディスク１００のディスク面を表示する。一方、パーソナルコンピュータ５０は、データ記録再生装置２００に設定されている光ディスク１００が既に可視情報が記録されている光ディスク１００である旨を受信すると、受信した可視情報、すなわち、形成された可視情報の記録パターンをアプリケーションプログラムに従ってディスプレイに当該可視情報が記録されたディスク面を表示する。
【００９３】
次いで、パーソナルコンピュータ５０によって光ディスク１００に記録すべき可視情報が編集され、または、生成され、システム制御部２１０に、光ディスク１００に可視情報の記録を実行する旨が入力されると（ステップＳ１８）、当該システム制御部２１０は、駆動切換制御部２０６を制御してピックアップ２０１の信号入力を当該可視情報記録用エンコーダ２０５に切り換えるとともに、図示しないピックアップ２０１駆動部を制御して可視情報の記録位置、すなわち、可視情報領域１２３の最内周の位置までピックアップ２０１をサーチさせる（ステップＳ１９）。
【００９４】
次いで、パーソナルコンピュータ５０からデータ記録再生装置２００に記録すべき可視情報が入力されると、可視情報記録用エンコーダ２０５には、インターフェース２０２、入出力管理部２０３および可視情報記録用ＲＡＭ２０９を介して記録すべき可視情報が入力され、この可視情報記録用エンコーダ２０５は、当該入力された可視情報に基づいてピックアップ２０１を制御して当該入力された可視情報を光ディスク１００に記録する（ステップＳ２０）。
【００９５】
具体的には、入出力管理部２０３は、インターフェース２０２を介して入力された可視情報を可視情報記録用ＲＡＭ２０９に出力するとともに、可視情報記録用エンコーダ２０５は、可視情報記録用ＲＡＭ２０９を介して入力された可視情報から変調信号を生成する。
【００９６】
また、可視情報記録用エンコーダ２０５は、当該入力された可視情報に基づいてアドレス情報を決定し、当該決定したアドレス情報およびデコーダ２０７によって読みとった可視情報を記録する光ディスク１００のアドレスに基づいて、システム制御部２１０介してピックアップ２０１の位置を制御しつつ、変調信号を当該ピックアップ２０１に出力する。
【００９７】
最後に、パーソナルコンピュータ５０により可視情報の記録を終了する旨がシステム制御部２１０に入力されると、当該システム制御部２１０は、可視情報記録用エンコーダ２０５に、可視情報管理情報を生成させ、生成させた可視情報管理情報を第２リードイン領域１２２の所定の領域にピックアップ２０１を介して記録させる（ステップＳ２１）。
【００９８】
具体的には、システム制御部２１０、形成された可視情報における、すなわち、レーザ光が照射または非照射されたアドレスを可視情報管理情報として第２リードイン領域１２２に上書きする。
【００９９】
（記録型光ディスクの場合）
まず、図６に示すように、アプリケーションプログラムの起動により、パーソナルコンピュータ５０から出力された、可視情報を記録型ディスクに記録する旨がシステム制御部２１０に入力されると（ステップＳ３１）、システム制御部２１０は、ピックアップ２０１を制御して光ディスク１００の第１リードイン領域１１４または第２リードイン領域１２２の一方から基板情報など種々の情報を記録型光ディスク１００から読み出す（ステップＳ３２）。
【０１００】
次いで、システム制御部２１０は、取得した基板情報に基づいて当該光ディスク１００のピックアップ２０１によって記録することが可能な面が可視情報記録面であるか否かを判断する（ステップＳ３３）。
【０１０１】
システム制御部２１０が、ピックアップ２０１によって記録することが可能な面がデータ記録面であると判断した場合には、その旨をパーソナルコンピュータ５０に通知し（ステップＳ３４）、本動作を終了させる。
【０１０２】
一方、システム制御部２１０が、ピックアップ２０１によって記録することが可能な面が可視情報記録面であると判断した場合には、システム制御部２１０は、取得した可視情報管理情報に基づいて当該光ディスク１００が既に可視情報が記録されている光ディスク１００であるか否か判断する（ステップＳ３５）。
【０１０３】
システム制御部２１０が、未だ可視情報が記録されていない光ディスク１００と判断した場合には、その旨をパーソナルコンピュータ５０に出力し、記録する可視情報の入力を待機する（ステップＳ３６）。
【０１０４】
一方、システム制御部２１０が、既に可視情報が記録されている光ディスク１００と判断した場合には、当該システム制御部２１０は、取得した可視情報管理情報に基づいて、記録可能な領域の有無を判断し（ステップＳ３７）、記録可能な領域が無いと判断した場合には、その旨をパーソナルコンピュータ５０に通知し（ステップＳ３８）、本動作を終了させる。
【０１０５】
このとき、パーソナルコンピュータ５０が、可視情報を記録することが可能な可視情報領域１２３がない旨を受信した場合には、当該データ記録面には可視情報を記録することができないので、パーソナルコンピュータ５０は、当該パーソナルコンピュータ５０に接続されたディスプレイおよびスピーカによってその旨をユーザに告知する。
【０１０６】
一方、システム制御部２１０が記録可能な可視情報領域１２３があると判断した場合には、記録されている可視情報を読み出し、読み出した可視情報とともに、その旨をパーソナルコンピュータ５０に出力し、記録する可視情報の入力を待機する（ステップＳ３９）。
【０１０７】
具体的には、既に可視情報が記録されている光ディスク１００と判断した場合には、書き換え型光ディスク１００のときと同様に、システム制御部２１０は、ピックアップ２０１を制御することによって、第２リードイン領域１２２に記録されている最新の可視情報管理情報を読み出し、当該読み出した可視情報管理情報に基づいて可視情報を形成させ、当該形成させた可視情報をコンピュータに出力する。
【０１０８】
また、このステップＳ３６〜Ｓ３９において、パーソナルコンピュータ５０は、データ記録再生装置２００に設定されている光ディスク１００が未だ可視情報が記録されていない光ディスク１００である旨を受信すると、アプリケーションプログラムに従ってディスプレイに新規な光ディスク１００のディスク面を表示する。一方、パーソナルコンピュータ５０は、データ記録再生装置２００に設定されている光ディスク１００が既に可視情報が記録されている光ディスク１００である旨を受信すると、この旨とともに、受信した可視情報、すなわち、形成された可視情報の記録パターンをアプリケーションプログラムに従ってディスプレイに当該可視情報が記録されたディスク面を表示する。
【０１０９】
次いで、パーソナルコンピュータ５０によって光ディスク１００に記録すべき可視情報が編集され、または、生成され、システム制御部２１０に、光ディスク１００に可視情報の記録を実行する旨が入力されると（ステップＳ４０）、当該システム制御部２１０は、駆動切換制御部２０６を制御してピックアップ２０１の信号入力を当該可視情報記録用エンコーダ２０５に切り換えるとともに、図示しないピックアップ駆動部を制御して可視情報の記録位置までピックアップ２０１をサーチさせる（ステップＳ４１）。
【０１１０】
次いで、パーソナルコンピュータ５０からデータ記録再生装置２００に記録すべき可視情報が入力されると、可視情報記録用エンコーダ２０５には、インターフェース２０２、入出力管理部２０３および可視情報記録用ＲＡＭ２０９を介して記録すべき可視情報が入力され、この可視情報記録用エンコーダ２０５は、当該入力された可視情報に基づいてピックアップ２０１を制御して当該入力された可視情報を光ディスク１００に記録する（ステップＳ４２）。
【０１１１】
最後に、パーソナルコンピュータ５０により可視情報の記録を終了する旨がシステム制御部２１０に入力されると、当該システム制御部２１０は、可視情報記録用エンコーダ２０５に、可視情報管理情報を生成させ、生成させた可視情報管理里情報を第２リードイン領域１２２の所定の領域にピックアップ２０１を介して記録させる（ステップＳ４３）。
【０１１２】
具体的には、システム制御部２１０、形成された可視情報における、すなわち、レーザ光が照射または非照射されたアドレスを新規の可視情報管理情報として第２リードイン領域１２２に追記する。
【０１１３】
以上本実施形態によれば、光ディスク１００は、レーザ光が照射されることによってコンテンツデータが記録されるデータ記録層と、視覚的に認識され、レーザ光が照射されることによってコンテンツデータの内容に関する情報を示す可視情報が記録される可視情報記録層と、を備え、データ記録層と可視情報記録層とが積層されている構成を有している。
【０１１４】
この構成により、本実施形態では、データ記録層がレーザ光によって照射される面であるデータ記録面と異なる面から視覚的に認識されるように可視情報を記録すれば、容易にかつ的確に各光ディスク１００毎に識別可能な視覚的な情報を形成させることができる。
【０１１５】
したがって、光ディスク１００にコンテンツデータの内容を示す文字、記号その他の記しを手書きする場合に比べて、簡便にかつ的確に文字、記号その他の記を表示させることができるとともに、コンテンツデータを記録することのできる複数の光ディスク１００の管理を容易に行うことができる。
【０１１６】
また、この構成により、本実施形態では、データ記録層と可視情報記録層をそれぞれ基板に設けて積層されるように構成すれば、従来の光ディスク１００と同様の構成になるため、従来の当該光ディスク１００の生産方法によって生産可能であり、当該光ディスク１００の生産コストを抑えることができ、安価な光ディスク１００を提供することができる。
【０１１７】
また、本実施形態によれば、光ディスク１００は、可視情報記録層には、データ記録層がレーザ光によって照射される面であるデータ記録面と異なる面から視覚的に認識され、レーザ光が照射されることによって可視情報が記録される構成を有している。
【０１１８】
この構成により、本実施形態では、データ記録面の異なる面、例えば、コンテンツデータが片面にのみ記録されている場合には当該コンテンツデータが記録されていない面に、可視情報を表示させることができるので、複数の光ディスク１００を管理する際に、的確に他の光ディスク１００と識別することができ、ユーザの利便性を向上させることができる。
【０１１９】
また、本実施形態によれば、可視情報記録層には、データ記録面とは異なる面からレーザ光が照射されることによって可視情報が記録される構成を有している。
【０１２０】
この構成により、本実施形態では、可視情報がデータ記録面とは異なる面からレーザ光が照射され、当該レーザ光が照射されることによって可視情報が記録されるので、例えば、コンテンツデータが片面にのみ記録されている場合には当該コンテンツデータが記録されていない面に、可視情報を表示させることによって、複数の光ディスク１００を管理する際に、的確に他の光ディスク１００と識別することができ、ユーザの利便性を向上させることができる。
【０１２１】
また、本実施形態によれば、光ディスク１００は、データ記録層が第１基板１１０に設けられているとともに、可視情報領域１２３が第２基板１２０に設けられている構成を有しているので、従来の光ディスク１００と同様の構成になるため、従来の当該光ディスク１００の生産方法によって生産可能であり、生産コストを抑えることができ、安価な光ディスク１００を提供することができる。
【０１２２】
また、本実施形態によれば、可視情報記録層には、可視情報を記録する可視情報領域１２３と、当該可視情報記録層であることを示す基板情報、可視情報の記録の有無を示す可視情報管理情報、および、可視情報の記録可能領域を示すアドレス管理情報の情報が記録されている第２リードイン領域１２２と、が設けられている。
【０１２３】
この構成により、本実施形態では、第２リードイン領域１２２に記録された各種のデータを読み出すことにより、レーザ光によって現在照射している光ディスク１００における可視情報の記録の可否、当該光ディスク１００の面における可視情報記録面の当否、および、可視情報の記録できる領域を判断することができるので、的確に、かつ、容易に可視情報を光ディスク１００に記録させることができる。
【０１２４】
また、本実施形態によれば、可視情報記録層には、当該可視情報記録層であることを示す基板情報が規則的に記録された可視情報領域１２３が設けられている構成を有している。
【０１２５】
この構成により、本実施形態では、可視情報領域１２３をピックアップ２０１によってサーチした場合にも、当該可視情報領域１２３が設けられた光ディスク１００であることを認識することができる。
【０１２６】
また、本実施形態によれば、データ記録層には、コンテンツデータが記録されるデータ記録領域と、当該データ記録層であることを示す記録層情報、または、当該光記録媒体には可視情報記録層が設けられている旨を示す記録媒体情報の少なくとも何れか一方の情報が記録されている第１リードイン領域１１４と、が設けられている構成を有している。
【０１２７】
この構成により、本実施形態では、第１リードイン領域に記録された各種のデータを読み出すことにより、レーザ光によって現在照射している光ディスク１００には可視情報の記録の可否、および、当該光ディスク１００の可視情報記録面の当否を判断することができるので、的確に、かつ、容易に可視情報を光ディスク１００に記録させることができる。
【０１２８】
また、本実施形態では、コンテンツデータが記録されるデータ記録層と、視覚的に認識され、コンテンツデータの内容に関する情報を示す可視情報が記録される可視情報記録層と、が積層されて形成される光ディスク１００に可視情報を記録するデータ記録再生装置２００であって、記録すべき可視情報が入力されるインターフェース２０２と、入力された可視情報を記録するために用いられるピックアップ２０１と、入力された可視情報に基づいて、ピックアップ２０１を駆動させるための可視情報用の変調信号を生成する可視情報記録用エンコーダ２０５と、を備え、ピックアップ２０１が、生成された可視情報用の変調信号に基づいて可視情報を可視情報記録層に記録する構成する。
【０１２９】
この構成により、本実施形態では、入力された可視情報に基づいて、ピックアップ２０１を駆動させるための可視情報用の変調信号を生成するとともに、生成された可視情報用の変調信号に基づいて可視情報を可視情報記録層に記録する。
【０１３０】
したがって、本実施形態では、データ記録層がレーザ光によって照射される面であるデータ記録面と異なる面から視覚的に認識されるように可視情報を光ディスク１００に記録すれば、容易にかつ的確に各光ディスク１００毎に識別可能な視覚的な情報を形成させることができる。
【０１３１】
この結果、光ディスク１００にコンテンツデータの内容を示す文字、記号その他の記しを手書きする場合に比べて、簡便にかつ的確に文字、記号その他の記を表示させることができるとともに、コンテンツデータを記録することのできる複数の光ディスク１００の管理を容易に行うことができる。
【０１３２】
また、本実施形態では、データ記録層と可視情報記録層をそれぞれ基板に設けて積層された光ディスク１００に可視情報を記録すれば、可視情報を記録する光ディスク１００は、従来の光ディスク１００と同様の構成になるため、従来の当該光ディスク１００の生産方法によって生産可能である光ディスク１００に可視情報を記録することができる。
【０１３３】
また、本実施形態では、インターフェース２０２にコンテンツデータが入力されるとともに、ピックアップ２０１がコンテンツデータをデータ記録層に記録する場合に、入力されたコンテンツデータに基づいてピックアップ２０１を駆動させるためのコンテンツデータ用の変調信号を生成するデータ記録用エンコーダ２０４と、生成されたコンテンツデータ用の変調信号と可視情報記録用エンコーダ２０５によって生成された可視情報用の変調信号との何れか一方の信号を選択する駆動切換制御部２０６と、を有し、ピックアップ２０１が、コンテンツデータ用の変調信号が選択された場合には、当該選択されたコンテンツデータ用の変調信号に基づいてコンテンツデータをデータ記録層に記録するとともに、可視情報用の変調信号が選択された場合には、当該選択された可視情報用の変調信号に基づいてコンテンツデータをデータ記録層に記録する構成を有している。
【０１３４】
この構成により、本実施形態では、ピックアップ２０１が、コンテンツデータ用の変調信号が選択された場合には、当該選択されたコンテンツデータ用の変調信号に基づいてコンテンツデータをデータ記録層に記録するとともに、可視情報用の変調信号が選択された場合には、当該選択された可視情報用の変調信号に基づいてコンテンツデータをデータ記録層に記録する。
【０１３５】
したがって、一のピックアップ２０１によって、光ディスク１００にコンテンツデータおよび可視情報を記録することができるので、データ記録再生装置２００を簡便に構成することができるとともに、当該データ記録再生装置２００を安価に提供することができる。
【０１３６】
また、本実施形態では、光ディスク１００が、データ記録面とは異なる面からレーザ光が照射されることによって可視情報が記録されるとともに、当該可視情報記録層であることを示す基板情報が少なくとも記録された第２リードイン領域１２２または可視情報とともに当該可視情報記録層であることを示す基板情報が設けられた可視情報領域１２３が設けられた可視情報記録層を有す、当該可視情報記録層の第２リードイン領域１２２に記録された基板情報または可視情報領域１２３に記録された基板情報の少なくとも何れか一方の基板情報を検出する検出するとともに、当該検出結果に基づいて、光ビームが照射されている光ディスク１００の照射面を判断するシステム制御部２１０を備える構成を有している。
【０１３７】
この構成により、本実施形態では、視情報記録層の第２リードイン領域１２２に記録された基板情報または可視情報領域１２３に記録された基板情報の少なくとも何れか一方の基板情報を検出するとともに、当該検出結果に基づいて、光ビームが照射されている光ディスク１００の照射面を判断する。
【０１３８】
したがって、的確に、かつ、容易に光ディスク１００の可視情報を記録する面を確認することができる。
【０１３９】
また、本実施形態では、光ディスク１００が、データ記録面とは異なる面から光ビームが照射されることによって可視情報が記録される可視情報記録層と、当該データ記録層であることを示す基板情報が記録された第１リードイン領域１１４が設けられたデータ記録層とを有し、データ記録層の第１リードイン領域１１４に記録された基板情報を検出するとともに、検出結果に基づいて、光ビームが照射されている光ディスク１００面を判断するシステム制御部２１０を備える構成を有している。
【０１４０】
この構成により、本実施形態では、データ記録層の第１リードイン領域１１４に記録された基板情報を検出するとともに、検出結果に基づいて、光ビームが照射されている光記録媒体の面を判断する。
【０１４１】
したがって、的確に、かつ、容易に光ディスク１００のコンテンツデータを記録する面を確認することができる。
【０１４２】
なお、本実施形態では、可視情報記録用エンコーダ２０５とデータ記録用エンコーダ２０４とを個々に設けているが、その機能の一部共通にして、当該機能が共通となる前段部にピックアップ２０１に入力する信号を切り換える切換部を有し、その切り換えた信号によってピックアップ２０１の駆動制御を行うようにしてもよい。
【０１４３】
また、本実施形態では、光ディスク１００に可視情報を記録する際に、データ記録面とは異なる面からレーザ光を照射して当該可視情報を記録するようになっているが、データ記録面からレーザ光を照射することによって当該可視情報を記録するようにしてもよい。
【０１４４】
この場合に、システム制御部２１０は、ピックアップ２０１を制御することによって、レーザ光の焦点位置を切り換え、コンテンツデータの記録と可視情報の記録とを行うようにしてもよい。また、このような構成を有することにより、光ディスク１００自体を裏返すという手間をはぶくことができる。
【０１４５】
また、本実施形態では、レーザ光の光強度を変化させることにより、可視情報記録層のコントラストを強調して可視情報を光ディスク１００記録するようになっているが、膜の性質を変え、レーザ光の強度によって、色素が変化する当該可視情報記録層を用いる事によって、当該可視情報を光ディスク１００に記録するようにしてもよい。
【０１４６】
〔第２実施形態〕
次に、図７を用いて光ディスクおよびデータ記録再生装置の第２実施形態について説明する。
【０１４７】
なお、本実施形態は、第１実施形態において、一のピックアップによってコンテンツデータと可視情報とを切り換えて各種情報を光ディスクに記録する点に変えて、コンテンツデータおよび可視情報をそれぞれ記録する専用のピックアップを設けた点に特徴があり、その他のデータ記録再生装置の構成、および、光ディスクの構成については、第１実施形態と同様であるため、同一部材には同一番号を付して説明を省略する。
【０１４８】
一方、本実施形態では、記録処理の動作において、第１実施形態における駆動切換制御部２０６による駆動波形の切換動作が不要であるとともに、第１ピックアップによってステップＳ１２の動作を行うようになっている。また、本実施形態では、第１実施形態のステップＳ１３において、システム制御部２１０が当該第１ピックアップ３０１によって読み出した基板情報に基づいて、第１ピックアップ３０１によって記録することが可能な面がデータ記録面であるか否かを判断するようになっており、これら以外の処理については、第１実施形態と同様であるため、その説明を省略する。
【０１４９】
図７を用いて本実施形態における光ディスクにコンテンツデータおよび可視情報を記録するデータ記録再生装置について説明する。
【０１５０】
なお、図７は、本実施形態の光ディスクにコンテンツデータおよび可視情報を記録するデータ記録再生装置の構成を示すブロック図である。
【０１５１】
本実施形態のデータ記録再生装置３００には、第１実施形態と同様に、外部装置として接続されたパーソナルコンピュータ５０から出力されたコンテンツデータまたは可視情報が入力されるようになっており、このデータ記録再生装置３００は、入力されたコンテンツデータまたは可視情報を光ディスク１００に記録するようになっている。
【０１５２】
また、本実施形態のデータ記録再生装置３００は、当該入力されたコンテンツデータに基づいて半導体レーザを駆動する第１ピックアップ３０１と、可視情報に基づいて半導体レーザを駆動する第２ピックアップ３０２と、を有し、当該各ピックアップ２０１を用いて光ディスク１００のデータ記録層または可視情報記録層に対してそれぞれ光ビームを照射するようになっており、当該光ビームを光ディスク１００に照射することによって当該光ディスク１００にコンテンツデータの記録再生および可視情報の記録を行うようになっている。
【０１５３】
このような記録再生装置は、図７に示すように、パーソナルコンピュータ５０などの外部装置と接続され、コンテンツデータの入出力または可視情報の入力を行うためのインターフェース２０２と、コンテンツデータおよび可視情報の入出力を管理する入出力管理部２０３と、入力されたコンテンツデータを光ディスク１００に記録するための所定の形式にエンコードするデータ記録用エンコーダ２０４と、入力された可視情報を光ディスク１００に記録するために所定の形式に変換する可視情報記録用エンコーダ２０５と、ピックアップ２０１によって読み出した信号を所定の形式に復号化するデコーダ２０７と、コンテンツデータの記録または読み出しを行う際に用いられるデータ記録用ＲＡＭ２０８と、可視情報を記録する際に用いられる可視情報記録用ＲＡＭ２０９と、バス２１１を介して必要な制御情報の授受を行いつつ上記各構成部材を統括制御するシステム制御部２１０と、から構成されるようになっており、各部は互いにバス２１１によって接続されている。
【０１５４】
なお、例えば、本実施形態の第１ピックアップ３０１は、本発明のデータ記録用ピックアップを構成し、第２ピックアップ３０２は、本発明の可視情報記録用ピックアップを構成する。
【０１５５】
また、例えば、本実施形態のデータ記録用エンコーダ２０４は、本発明のコンテンツデータ用駆動信号生成手段を構成し、可視情報記録用エンコーダ２０５は、本発明の可視情報記録用駆動信号生成手段を構成する。
【０１５６】
さらに、例えば、本実施形態の駆動切換制御部２０６は、本発明の選択手段を構成し、システム制御部２１０は、本発明の検出手段および判断手段を構成する。
【０１５７】
第１ピックアップ３０１は、コンテンツデータを光ディスク１００に記録する際に、データ記録用エンコーダ２０４によって生成される変調信号に基づいて動作するようになっている。
【０１５８】
具体的には、第１ピックアップ３０１は、データ記録用エンコーダ２０４によって生成される変調信号に基づいて、当該第１ピックアップ３０１内に設けられた図示しない半導体レーザを駆動させるとともに、記録すべき情報に対応して強度変化する当該光ビームを光ディスク１００に対して射出させるようになっている。
【０１５９】
また、第１ピックアップ３０１は、再生用の一定強度の光ビームを射出し、その反射光を図示しない受光部で受光するとともに、当該反射光の強度変化に対応して変化する検出信号を生成し、当該生成した検出信号をデコーダ２０７に出力するようになっている。
【０１６０】
第２ピックアップ３０２は、第１ピックアップ３０１と同様の性能を有し、可視情報を光ディスク１００に記録する際に、可視情報記録用エンコーダ２０５によって生成される変調信号に基づいて動作するようになっている。
【０１６１】
具体的には、第２ピックアップ３０２は、可視情報記録用エンコーダ２０５によって生成される変調信号に基づいて、当該第２ピックアップ３０２内に設けられた図示しない半導体レーザを駆動させるとともに、記録すべき情報に対応して強度変化する当該光ビームを光ディスク１００に対して射出させるようになっている。
【０１６２】
また、第２ピックアップ３０２は、再生用の一定強度の光ビームを射出し、その反射光を図示しない受光部で受光するとともに、当該反射光の強度変化に対応して変化する検出信号を生成し、当該生成した検出信号をデコーダ２０７に出力するようになっている。
【０１６３】
以上本実施形態によれば、光ディスク１００は、レーザ光が照射されることによってコンテンツデータが記録されるデータ記録層と、視覚的に認識され、レーザ光が照射されることによってコンテンツデータの内容に関する情報を示す可視情報が記録される可視情報記録層と、を備え、データ記録層と可視情報記録層とが積層されている構成を有している。
【０１６４】
この構成により、本実施形態では、データ記録層がレーザ光によって照射される面であるデータ記録面と異なる面から視覚的に認識されるように可視情報を記録すれば、容易にかつ的確に各光ディスク１００毎に識別可能な視覚的な情報を形成させることができる。
【０１６５】
したがって、光ディスク１００にコンテンツデータの内容を示す文字、記号その他の記しを手書きする場合に比べて、簡便にかつ的確に文字、記号その他の記を表示させることができるとともに、コンテンツデータを記録することのできる複数の光ディスク１００の管理を容易に行うことができる。
【０１６６】
また、この構成により、本実施形態では、データ記録層と可視情報記録層をそれぞれ基板に設けて積層されるように構成すれば、従来の光ディスク１００と同様の構成になるため、従来の当該光ディスク１００の生産方法によって生産可能であり、当該光ディスク１００の生産コストを抑えることができ、安価な光ディスク１００を提供することができる。
【０１６７】
また、本実施形態によれば、光ディスク１００は、可視情報記録層には、データ記録層がレーザ光によって照射される面であるデータ記録面と異なる面から視覚的に認識され、レーザ光が照射されることによって可視情報が記録される構成を有している。
【０１６８】
この構成により、本実施形態では、データ記録面の異なる面、例えば、コンテンツデータが片面にのみ記録されている場合には当該コンテンツデータが記録されていない面に、可視情報を表示させることができるので、複数の光ディスク１００を管理する際に、的確に他の光ディスク１００と識別することができ、ユーザの利便性を向上させることができる。
【０１６９】
また、本実施形態によれば、可視情報記録層には、データ記録面とは異なる面からレーザ光が照射されることによって可視情報が記録される構成を有している。
【０１７０】
この構成により、本実施形態では、可視情報がデータ記録面とは異なる面からレーザ光が照射され、当該レーザ光が照射されることによって可視情報が記録されるので、例えば、コンテンツデータが片面にのみ記録されている場合には当該コンテンツデータが記録されていない面に、可視情報を表示させることによって、複数の光ディスク１００を管理する際に、的確に他の光ディスク１００と識別することができ、ユーザの利便性を向上させることができる。
【０１７１】
また、本実施形態によれば、光ディスク１００は、データ記録層が第１基板１１０に設けられているとともに、可視情報領域１２３が第２基板１２０に設けられている構成を有しているので、従来の光ディスク１００と同様の構成になるため、従来の当該光ディスク１００の生産方法によって生産可能であり、生産コストを抑えることができ、安価な光ディスク１００を提供することができる。
【０１７２】
また、本実施形態によれば、可視情報記録層には、可視情報を記録する可視情報領域１２３と、当該可視情報記録層であることを示す基板情報、可視情報の記録の有無を示す可視情報管理情報、および、可視情報の記録可能領域を示すアドレス管理情報の情報が記録されている第２リードイン領域１２２と、が設けられている。
【０１７３】
この構成により、本実施形態では、第２リードイン領域１２２に記録された各種のデータを読み出すことにより、レーザ光によって現在照射している光ディスク１００における可視情報の記録の可否、当該光ディスク１００の面における可視情報記録面の当否、および、可視情報の記録できる領域を判断することができるので、的確に、かつ、容易に可視情報を光ディスク１００に記録させることができる。
【０１７４】
また、本実施形態によれば、可視情報記録層には、当該可視情報記録層であることを示す基板情報が規則的に記録された可視情報領域１２３が設けられている構成を有している。
【０１７５】
この構成により、本実施形態では、可視情報領域１２３をピックアップ２０１によってサーチした場合にも、当該可視情報領域１２３が設けられた光ディスク１００でることを認識することができる。
【０１７６】
また、本実施形態によれば、データ記録層には、コンテンツデータが記録されるデータ記録領域と、当該データ記録層であることを示す記録層情報、または、当該光記録媒体には可視情報記録層が設けられている旨を示す記録媒体情報の少なくとも何れか一方の情報が記録されている第１リードイン領域１１４と、が設けられている構成を有している。
【０１７７】
この構成により、本実施形態では、第１リードイン領域に記録された各種のデータを読み出すことにより、レーザ光によって現在照射している光ディスク１００には可視情報の記録の可否、および、当該光ディスク１００の可視情報記録面の当否を判断することができるので、的確に、かつ、容易に可視情報を光ディスク１００に記録させることができる。
【０１７８】
また、本実施形態では、データ記録層には、可視情報の記録の有無を示す記録管理情報、または、可視情報の記録可能領域を示す領域情報の少なくとも何れか一方の情報が記録されているデータ管理領域が設けられている構成を有している。
【０１７９】
この構成により、本実施形態では、例えば、光ディスク１００が、コンテンツデータと可視情報をそれぞれ異なる面から異なるピックアップ２０１によって記録される場合に、データ記録面にある第１リードイン領域１１４に記録された各種のデータを読み出すことにより、レーザ光によって現在照射している光ディスク１００における可視情報の記録の可否、当該光ディスク１００の面における可視情報記録面の当否、および、可視情報の記録できる領域を判断することができるので、的確に、かつ、容易に可視情報を光ディスク１００に記録させることができる。
【０１８０】
なお、本実施形態の第２ピックアップ３０２は、第１ピックアップ３０１と同等の性能を有するようになっているが、基本的には可視情報の記録には精密な記録が必要とならない、すなわち、レーザ光によって照射される光スポットが広くてもよいので、第１ピックアップ３０１よりは低ＮＡ（Ｎｕｍｅｒｉｃａｌ  Ａｐｅｒｔｕｒｅ：開口数）を有する構成、または、レーザ光の波長の長い半導体レーザを用いる構成にしてもよい。
【０１８１】
したがって、この場合に、第２ピックアップ３０２が低ＮＡによってレーザ光を照射、または、波長の長い半導体レーザによってレーザ光を照射することによって、可視情報領域１２３において可視情報を迅速に記録することができるとともに、低ＮＡのピックアップ３０２または波長の長いピックアップ３０２は比較的に安価であるため、データ記録再生装置３００を安価に提供することができる。
【０１８２】
また、本実施形態では、原則、データ記録層および可視情報記録層にコンテンツデータまたは可視情報を別々に記録するようになっているが、勿論、第１ピックアップ３０１および第２ピックアップ３０２をそれぞれ同時に制御することによって、当該データ記録層および可視情報記録層の両方の層に同時に記録するようにしてもよい。
【０１８３】
また、本実施形態では、第２リードイン領域に、基板情報、アドレス管理情報、可視情報管理情報、可視情報内容情報が記録されるようになっているが、勿論、その一部のデータまたは全部のデータが第１リードイン領域に記録されるようにしてもよい。
【０１８４】
この場合には、これらの情報を第１ピックアップ３０１によって読み出しまたは記録するようになるとともに、システム制御部２１０は、当該読み出した各種の情報に基づいて、第２ピックアップ３０２を制御するようになる。
【図１】
0004012925.tif 000002
【図２】
0004012925.tif 000003
【図３】
0004012925.tif 000004
【図４】
0004012925.tif 000005
【図５】
0004012925.tif 000006
【図６】
0004012925.tif 000007
【図７】
0004012925.tif 000008